(57)【要約】    【課題】システム間ハンドオーバ制御を実施するか否かを判定するための判定方法と閾値を、無線通信装置の移動速度や周囲状況に応じて適応的に設定する。    【解決手段】システム間ハンドオーバ閾値設定回路１１３は、移動速度測定回路１１１の測定結果と、周囲状況認識回路１１２の認識結果に基づき、利用している無線通信システムからシステム間ハンドオーバ制御を実施するか否かを判定するための判定方法と判定基準となる閾値を、所定の周期で適切に設定し、設定した判定方法と閾値はシステム間ハンドオーバ閾値記憶回路１１４において記憶される。システム間ハンドオーバ閾値判定回路１１５は、システム間ハンドオーバ閾値記憶回路１１４が記億している判定方法と閾値を用いて、受信レベル測定回路１０５の測定結果とフレーム誤り率測定回路１０６の測定結果に基づき、所定の周期でシステム間ハンドオーバ制御を実施するか否かの判定を行う。【選択図】    図１
2005236487.tif 000002
【特許請求の範囲】
【請求項１】
複数の無線通信システムの通信機能を切替えて通信可能な無線通信装置において、
システム間ハンドオーバ制御を実施するか否かを判定する判定方法および閾値を設定するシステム間ハンドオーバ制御閾値設定手段と、
前記システム間ハンドオーバ制御閾値設定手段により設定された前記判定方法および前記閾値を記憶するシステム間ハンドオーバ制御閾値記憶手段と、
前記判定方法および前記閾値を用いて前記システム間ハンドオーバ制御を実施するか否かを判定するシステム間ハンドオーバ閾値判定手段と、
を有することを特徴とする無線通信装置。
【請求項２】
前記無線通信装置の移動速度を測定する移動速度測定手段を有し、前記移動速度測定手段により測定した前記移動速度に基づき、前記システム間ハンドオーバ制御閾値設定手段が前記判定方法および前記閾値を設定すること、を特徴とする請求項１に記載の無線通信装置。
【請求項３】
前記無線通信装置の周囲状況を認識する周囲状況認識手段を有し、前記周囲状況認識手段により認識された前記周囲状況に基づき、前記システム間ハンドオーバ制御閾値設定手段が前記判定方法および前記閾値を設定すること、を特徴とする請求項１に記載の無線通信装置。
【請求項４】
複数の無線通信システムの通信機能を切替えて通信可能な無線通信装置におけるシステム間ハンドオーバ制御方法において、
システム間ハンドオーバ制御を実施するか否かを判定する判定方法および閾値を設定するシステム間ハンドオーバ制御閾値設定過程と、
前記システム間ハンドオーバ制御閾値設定過程により設定された前記判定方法および前記閾値を記憶するシステム間ハンドオーバ制御閾値記憶過程と、
前記判定方法および前記閾値を用いて前記システム間ハンドオーバ制御を実施するか否かを判定するシステム間ハンドオーバ閾値判定過程を有すること、
を特徴とするシステム間ハンドオーバ制御方法。
【請求項５】
前記無線通信装置の移動速度を測定するための移動速度測定過程と、前記移動速度測定過程により測定した前記移動速度に基づき、前記システム間ハンドオーバ制御閾値設定過程において、前記判定方法および前記閾値を設定すること、を特徴とする請求項４に記載のシステム間ハンドオーバ制御方法。
【請求項６】
前記無線通信装置の周囲状況を認識するための周囲状況認識過程と、前記周囲状況認識過程により認識した前記周囲状況に基づき、前記システム間ハンドオーバ制御閾値設定過程において、前記判定方法および前記閾値を設定すること、を特徴とする請求項４に記載のシステム間ハンドオーバ制御方法。
【発明の詳細な説明】
【技術分野】
【０００１】
本発明は、複数の無線通信システムの通信機能を切替え、システム間ハンドオーバ制御を実施可能な無線通信装置および無線通信装置におけるシステム間ハンドオーバ制御方法に関する。
【背景技術】
【０００２】
図４は従来のシステム間ハンドオーバ制御を実施可能な無線通信装置における受信回路１００の構成を示すブロック図である。受信回路１００は、アンテナ１０１に接続し、復調処理回路１０２、受信データ処理回路１０３、受信データ出力部１０４、受信レベル測定回路１０５、フレーム誤り率測定回路１０６、システム間ハンドオーバ判定回路１３１、および全体の動作を制御する制御回路１０８から構成されている。
【０００３】
受信回路１００において、アンテナ１０１から入力される受信信号は、復調処理回路１０２へ入力され、周波数のダウンコンバートおよび復調が行われた後、受信データ処理回路１０３において、無線通信方式に必要な誤り制御復号化が行われ、受信データ出力部１０４から受信データが出力される。受信データ出力部１０４は、例えば無線ＬＡＮ通信方式を利用する場合にはパソコン等が接続され、ＰＨＳ無線通信方式を利用する場合には、スピーカなどの音声出力装置等が接続される。受信レベル測定回路１０５は、復調処理回路１０２を介して受信信号レベルの測定を行い、フレーム誤り率測定回路１０６は、受信データ処理回路１０３を介して受信した受信データのフレーム誤り率の測定を行う。システム間ハンドオーバ判定回路１３１は、あらかじめ保持しているシステム間ハンドオーバ制御を実施するか否かの判定方法および判定基準となる閾値を用いて、受信レベル測定回路１０５の測定結果とフレーム誤り率測定回路１０６の測定結果に基づき、システム間ハンドオーバ制御を実施するか否かの判定を行う。制御回路１０８は、接続される各回路等に対する動作制御や無線通信システムの切替え制御を行う。
【０００４】
無線通信装置がシステム間ハンドオーバ制御を実施するか否かの判定を行う際には、システム間ハンドオーバ判定回路１３１があらかじめ保持しているシステム間ハンドオーバ制御を実施するか否かの判定方法および閾値を用いて、受信レベル測定回路１０５の測定結果とフレーム誤り率測定回路１０５の測定結果に基づき、判定を行う。この判定方法および閾値は無線通信システム毎にあらかじめ設定されており、無線通信装置の移動速度や周囲状況に応じて適応的に設定されるものではないため、無線通信装置の利用状況によっては最適な設定でない場合がある。この場合、システム間ハンドオーバ制御を実施しない方が良い場合にシステム間ハンドオーバ制御を実施することにより、データ伝送速度の低下を生じるという問題が発生する。
【０００５】
図５に無線通信装置における従来のシステム間ハンドオーバ制御手順例の流れ図を示す。無線通信装置が、無線通信中の状態（Ｓ２００）において、システム間ハンドオーバ制御を実施するか否かの判定を判定周期で行い、システム間ハンドオーバ制御を実施するか否かを判定する時点の場合、システム間ハンドオーバ制御の判定に必要な情報の取得（Ｓ２０２）を受信レベル測定回路１０５およびフレーム誤り率測定回路１０６から行い、あらかじめ保持しているシステム間ハンドオーバ制御を実施するか否かの判定方法およびあらかじめ保持している閾値と比較を行い、システム間ハンドオーバ制御を実施するか否かの判定を行う（Ｓ２０４）。システム間ハンドオーバ制御を実施する判定の場合には、システム間ハンドオーバ制御を行い（Ｓ２０５）、システム間ハンドオーバ制御を実施しない場合は、その状態のまま無線通信中状態（Ｓ２００）に戻る。
【０００６】
無線通信装置がシステム間ハンドオーバ制御を実施するか否かの判定を行う際には、システム間ハンドオーバ判定回路１３１があらかじめ保持しているシステム間ハンドオーバ制御を実施するか否かの判定方法および閾値を用いて、受信レベル測定回路１０５の測定結果とフレーム誤り率測定回路１０６の測定結果に基づき、判定を行う。この判定方法および閾値は無線通信システム毎にあらかじめ設定されており、無線通信装置の移動速度や周囲状況に応じて適応的に設定されるものではないため、無線通信装置の利用状況によっては最適な設定でない場合がある。この最適な設定でない場合には、システム間ハンドオーバ制御を実施しない方が良い場合にも、システム間ハンドオーバ制御を実施することにより、データ伝送速度の低下を生じるという間題が発生する。
【０００７】
このようにシステム間ハンドオーバ制御を実施する技術は例えば非特許文献１で示されている。また、システム間ハンドオーバ制御を実施しない方が良い場合にシステム間ハンドオーバ制御を実施することにより、データ伝送速度の低下等を生じる問題については、例えば非特許文献２で示されている。
【０００８】
【非特許文献１】「Ｈａｎｄｏｆｆ  ｉｎ  Ｈｙｂｒｉｄ  Ｍｏｂｉｌｅ  Ｄａｔａ  Ｎｅｔｗｏｒｋｓ」、Ｋａｖｅｈ  Ｐａｈｌａｖａｎ他著、ＩＥＥＥ  Ｐｅｒｓｏｎａｌ  Ｃｏｍｍｕｎｉｃａｔｉｏｎｓ，Ａｐｒｉｌ２０００，ｐｐ．３４−４７
【非特許文献２】「蓄積メディア伝送のための無線ＬＡＮ・ＰＨＳ間垂直ハンドオーバ方式」、横山太郎他著、電子情報通信学会  信学技法、ＣＱ２０００−４７，ｐ．５５−６０
【発明の開示】
【発明が解決しようとする課題】
【０００９】
従来技術においては、無線通信装置がシステム間ハンドオーバ制御を実施するか否かの判定を行う際には、システム間ハンドオーバ判定回路があらかじめ保持しているシステム間ハンドオーバ制御を実施するか否かの判定方法と閾値を用いて、受信レベル測定回路の測定結果とフレーム誤り率測定回路の測定結果に基づき、判定を行う。この判定方法および閾値は無線通信システム毎にあらかじめ設定されており、無線通信装置の利用状況に応じて適応的に設定されるものではないため、無線通信装置の利用状況によっては最適な閾値になっていない場合がある。この場合、システム間ハンドオーバ制御を実施しない方が良い場合にも、システム間ハンドオーバ制御を実施することにより、データ伝送速度の低下を生じるという問題が発生する。
【００１０】
本発明は、上記の課題を解決すべくなされたもので、無線通信装置が、システム間ハンドオーバ制御を実施するか否かを判定するための判定方法と閾値を、無線通信装置の移動速度や周囲状況に応じて適応的に設定し、その判定方法と閾値に基づいてシステム間ハンドオーバ制御を実施するか否かを判定することにより、無線通信装置の移動速度や周囲状況に応じて適切にシステム間ハンドオーバ制御を実施するか否かを判定することができ、不要なシステム間ハンドオーバ制御を実施することによるデータ伝送速度の低下を生じさせず、高いデータ伝送速度を実現することを可能とする、無線通信装置およびシステム間ハンドオーバ制御方法を提供することを目的とする。
【課題を解決するための手段】
【００１１】
請求項１に係わる無線通信装置は、複数の無線通信システムの通信機能を切替えて通信可能な無線通信装置において、システム間ハンドオーバ制御を実施するか否かを判定する判定方法および閾値を設定するシステム間ハンドオーバ制御閾値設定手段と、システム間ハンドオーバ制御閾値設定手段により設定された判定方法および閾値を記憶するシステム間ハンドオーバ制御閾値記憶手段と、判定方法および閾値を用いてシステム間ハンドオーバ制御を実施するか否かを判定するシステム間ハンドオーバ閾値判定手段とを有することを特徴とする無線通信装置である。
【００１２】
本発明により、例えば無線通信装置が、システム間ハンドオーバを実施するか否かを判定するための判定方法と閾値を適応的に設定し、その判定方法と閾値に基づいてシステム間ハンドオーバを実施するか否かを判定することにより、適切にシステム間ハンドオーバを実施するか否かを判定することができ、不要なシステム間ハンドオーバを実施することによるデータ伝送速度の低下を生じさせず、高い伝送速度を実現することが可能となる。
【００１３】
請求項２に係わる無線通信装置は、請求項１に記載の無線通信装置において、無線通信装置の移動速度を測定する移動速度測定手段を有し、移動速度測定手段により測定した移動速度に基づき、システム間ハンドオーバ制御閾値設定手段が判定方法および閾値を設定することを特徴とする無線通信装置である。
【００１４】
本発明により、無線通信装置が、システム間ハンドオーバを実施するか否かを判定するための判定方法と閾値を、無線通信装置の移動速度に応じて適応的に設定し、その判定方法と閾値に基づいてシステム間ハンドオーバを実施するか否かを判定することにより、適切にシステム間ハンドオーバを実施するか否かを判定することができ、不要なシステム間ハンドオーバを実施することによるデータ伝送速度の低下を生じさせず、高い伝送速度を実現することが可能となる。
【００１５】
請求項３に係わる無線通信装置は、請求項１に記載の無線通信装置において、無線通信装置の周囲状況を認識する周囲状況認識手段を有し、周囲状況認識手段により認識された周囲状況に基づき、システム間ハンドオーバ制御閾値設定手段により判定方法および閾値を設定することを特徴とする無線通信装置である。
【００１６】
本発明により、無線通信装置が、システム間ハンドオーバを実施するか否かを判定するための判定方法と閾値を、無線通信装置の周囲状況に応じて適応的に設定し、その判定方法と閾値に基づいてシステム間ハンドオーバを実施するか否かを判定することにより、適切にシステム間ハンドオーバを実施するか否かを判定することができ、不要なシステム間ハンドオーバを実施することによるデータ伝送速度の低下を生じさせず、高い伝送速度を実現することが可能となる。
【００１７】
請求項４に係わるシステム間ハンドオーバ制御方法は、複数の無線通信システムの通信機能を切替えて通信可能な無線通信装置におけるシステム間ハンドオーバ制御方法において、システム間ハンドオーバ制御を実施するか否かを判定する判定方法および閾値を設定するシステム間ハンドオーバ制御閾値設定過程と、システム間ハンドオーバ制御閾値設定過程により設定された判定方法および閾値を記憶するシステム間ハンドオーバ制御閾値記憶過程と、判定方法および閾値を用いてシステム間ハンドオーバ制御を実施するか否かを判定するシステム間ハンドオーバ閾値判定過程を有することを特徴とするシステム間ハンドオーバ制御方法である。
【００１８】
本発明により、例えば無線通信装置が、システム間ハンドオーバを実施するか否かを判定するための判定方法と閾値を適応的に設定し、その判定方法と閾値に基づいてシステム間ハンドオーバを実施するか否かを判定することにより、適切にシステム間ハンドオーバを実施するか否かを判定することができ、不要なシステム間ハンドオーバを実施することによるデータ伝送速度の低下を生じさせず、高い伝送速度を実現することが可能となる。
【００１９】
請求項５に係わるシステム間ハンドオーバ制御方法は、無線通信装置の移動速度を測定するための移動速度測定過程と、移動速度測定過程により測定した移動速度に基づき、システム間ハンドオーバ制御閾値設定過程において、判定方法および閾値を設定することを特徴とするシステム間ハンドオーバ制御方法である。
【００２０】
本発明により、無線通信装置が、システム間ハンドオーバを実施するか否かを判定するための判定方法と閾値を、無線通信装置の移動速度に応じて適応的に設定し、その判定方法と閾値に基づいてシステム間ハンドオーバを実施するか否かを判定することにより、適切にシステム間ハンドオーバを実施するか否かを判定することができ、不要なシステム間ハンドオーバを実施することによるデータ伝送速度の低下を生じさせず、高い伝送速度を実現することが可能となる。
【００２１】
請求項６に係わるシステム間ハンドオーバ制御方法は、無線通信装置の周囲状況を認識するための周囲状況認識過程と、周囲状況認識過程により認識した周囲状況に基づき、システム間ハンドオーバ制御閾値設定過程において、判定方法および閾値を設定することを特徴とするシステム間ハンドオーバ制御方法である。
【００２２】
本発明により、無線通信装置が、システム間ハンドオーバ制御を実施するか否かを判定するための判定方法と閾値を、無線通信装置の周囲状況に応じて適応的に設定し、その判定方法と閾値に基づいてシステム間ハンドオーバ制御を実施するか否かを判定することにより、適切にシステム間ハンドオーバ制御を実施するか否かを判定することができ、不要なシステム間ハンドオーバ制御を実施することによるデータ伝送速度の低下を生じさせず、高い伝送速度を実現することが可能となる。
【発明の効果】
【００２３】
無線通信装置が、システム間ハンドオーバ制御を実施するか否かを判定するための判定方法と閾値を、無線通信装置の移動速度や周囲状況に応じて適応的に設定し、その判定方法と閾値に基づいてシステム間ハンドオーバ制御を実施するか否かを判定することにより、無線通信装置の移動速度や周囲状況に応じて適切にシステム間ハンドオーバ制御を実施するか否かを判定することができ、その結果、不要なシステム間ハンドオーバ制御を実施することによるデータ伝送速度の低下を生じさせず、高い伝送速度を実現することができる。
【発明を実施するための最良の形態】
【００２４】
以下、図面を用いて本発明の実施の形態について説明する。なお、以下で説明する図面で、同一機能を有するものは同一符号を付け、その繰り返しの説明は省略する。
【００２５】
本発明の実施の形態について、図１〜３を用いて説明する。図１は本発明の実施の形態のシステム間ハンドオーバ制御を実施可能な無線通信装置における受信回路１００の構成を示すブロック図であり、先ず図１の構成を説明する。
【００２６】
無線通信装置における受信回路１００は、アンテナ１０１に接続し、復調処理回路１０２、受信データ処理回路１０３、受信データ出力部１０４、受信レベル測定回路１０５、フレーム誤り率測定回路１０６、移動速度測定回路１１１、周囲状況認識回路１１２、システム間ハンドオーバ閾値設定回路１１３、システム間ハンドオーバ閾値記憶回路１１４、システム間ハンドオーバ閾値判定回路１１５、および受信回路１００の全体の動作を制御する制御回路１０８から構成されている。
【００２７】
受信回路１００において、アンテナ１０１から入力される受信信号は、復調処理回路１０２へ入力され、周波数のダウンコンバートおよび復調が行われた後、受信データ処理回路１０３において、無線通信方式に必要な誤り制御復号化が行われ、受信データ出力部１０４から受信データが出力される。受信データ出力部１０４は、例えば無線ＬＡＮ通信方式を利用する場合にはパソコン等が接続され、ＰＨＳ無線通信方式を利用する場合には、スピーカなどの音声出力装置等が接続される。
【００２８】
受信レベル測定回路１０５は、復調処理回路１０２を介して受信信号レベルの測定を行い、フレーム誤り率測定回路１０６は、受信データ処理回路１０３を介して受信データのフレーム誤り率の測定を行う。移動速度測定回路１１１は無線通信装置の移動速度を測定する。移動速度は、例えば無線通信装置に搭載した加速度計やＧＰＳを利用することにより測定可能である。周囲状況認識回路１１２は無線通信装置の周囲状況を認識する。周囲状況は、例えば無線通信装置に搭載した電子式カメラにより周囲状況を撮像して、ビルなどの建物の存在を認識できる。あるいはＧＰＳなどを利用して無線通信装置の存在位置を測定し、地図情報により無線通信装置の周囲状況を認識することも可能でもある。また、周囲状況の認識は、無線通信システムを介して接続された無線通信装置管理サーバー等が無線通信装置の存在位置を測定し、地図情報により無線通信装置の周囲状況の認識を実施し、認識結果を無線通信装置に送信し、周囲状況認識回路１１２が認識結果を受信することにより、周囲状況を認識することも可能である。
【００２９】
システム間ハンドオーバ閾値設定回路１１３（システム間ハンドオーバ制御閾値設定手段）は、移動速度測定回路１１１（移動速度測定手段）の測定結果と、周囲状況認識回路１１２（周囲状況認識手段）の認識結果に基づき、利用している無線通信システムからシステム間ハンドオーバ制御を実施するか否かを判定するための判定方法と判定基準となる閾値を、所定の周期で（設定周期）適切に設定し、設定した判定方法と閾値はシステム間ハンドオーバ閾値記憶回路１１４（システム間ハンドオーバ制御閾値記憶手段）において記憶される。
【００３０】
システム間ハンドオーバ閾値設定回路１１３は、移動速度測定回路１１１の測定結果と、周囲状況認識回路１１２の認識結果に基づき、利用している無線通信システムからシステム間ハンドオーバ制御を実施するか否かを判定するための判定方法と閾値を設定しているが、移動速度測定回路１１１の測定結果と、周囲状況認識回路１１２の認識結果のいずれか一方を用いることにより、システム間ハンドオーバ制御を実施するか否かを判定するための判定方法と閾値を設定することも可能である。
【００３１】
システム間ハンドオーバ閾値判定回路１１５（システム間ハンドオーバ閾値判定手段）は、システム間ハンドオーバ閾値記憶回路１１４が記億している判定方法と閾値を用いて、受信レベル測定回路１０５の測定結果とフレーム誤り率測定回路１０６の測定結果に基づき、所定の周期（判定周期）でシステム間ハンドオーバ制御を実施するか否かの判定を行う。制御回路１０８は、接続される各回路等に対する動作制御や無線通信システムの切替え制御を行う。
【００３２】
図１に示す通り、無線通信装置が、システム間ハンドオーバ制御を実施するか否かを判定するための判定方法と閾値を、無線通信装置の移動速度や周囲状況に応じて適応的に設定し、その設定内容に基づいてシステム間ハンドオーバ制御を実施するか否かを判定することにより、無線通信装置の移動速度や周囲状況に応じて適切にシステム間ハンドオーバ制御を実施するか否かを判定することができ、その結果、不要なシステム間ハンドオーバ制御を実施することによるデータ伝送速度の低下を生じさせず、高い伝送速度を実現することができる。
【００３３】
図２に本発明の実施の形態による無線通信装置におけるシステム間ハンドオーバ制御手順例の流れ図を示す。
【００３４】
無線通信装置が、無線通信中の状態（Ｓ２００）において、システム間ハンドオーバ制御の判定方法と閾値を設定周期で設定するため、判定方法と閾値を設定する時点の場合（Ｓ２１１のＹｅｓ）、無線通信装置の移動速度の測定を行い（Ｓ２１２）、無線通信装置の周囲状況の認識を行い（Ｓ２１３）、それぞれの測定および認識結果に基づきシステム間ハンドオーバ制御の判定方法と閾値を変更する必要があるか否かをシステム間ハンドオーバ閾値設定回路１１３で判定し（Ｓ２１４）、判定方法と閾値を変更する必要がある場合には、システム間ハンドオーバ制御の判定方法と閾値を変更設定する（Ｓ２１５）とともに、判定方法および閾値をシステム間ハンドオーバ閾値記憶回路１１４に記憶する（Ｓ２１６）。図２においては、無線通信装置の移動速度の測定と周囲状況の認識を行い、それぞれの測定および認識結果に基づきシステム間ハンドオーバ制御の判定方法と閾値を変更する必要があるか否かを判定しているが、無線通信装置の移動速度の測定結果か周囲状況の認識結果のいずれか一方を用いることにより、システム間ハンドオーバ制御の判定方法と閾値を変更するか否かを判定することも可能である。
【００３５】
一方、システム間ハンドオーバ制御は、無線通信装置が無線通信中の状態（Ｓ２００）において、システム間ハンドオーバ制御を実施するか否かの判定を判定周期毎に行い、判定する時点の場合（Ｓ２０１のＹｅｓ）、システム間ハンドオーバ制御の判定に必要な情報の取得を受信レベル測定回路１０５とフレーム誤り率測定回路１０６から行い（Ｓ２０２）、システム間ハンドオーバ制御を実施するか否かの判定基準となる判定方法と閾値の情報をシステム間ハンドオーバ閾値記憶回路１１４から読み出し（Ｓ２０３）、読み出した判定方法と閾値を用いて、Ｓ２０２で取得したシステム間ハンドオーバ制御の判定に必要な情報に基づき、システム間ハンドオーバ制御を実施するか否かの判定を行う（Ｓ２０４）。
【００３６】
システム間ハンドオーバ制御を実施する判定の場合には、システム間ハンドオーバ制御を実施し（Ｓ２０５）、システム間ハンドオーバ制御を実施しない場合はそのまま無線通信中状態（Ｓ２００）に戻る。
【００３７】
図２に示す通り、無線通信装置がシステム間ハンドオーバ制御を実施するか否かを判定するための判定方法と閾値を、無線通信装置の移動速度や周囲状況に応じて適応的に設定し、その判定方法と閾値に基づいてシステム間ハンドオーバ制御を実施するか否かを判定することにより、適切にシステム間ハンドオーバ制御を実施するか否かを判定することができ、その結果、不要なシステム間ハンドオーバ制御を実施することによるデータ伝送速度の低下を生じさせず、高い伝送速度を実現することができる。
【００３８】
図３に従来の無線通信装置におけるシステム間ハンドオーバ制御方法を用いた場合と、本発明の実施の形態によるシステム間ハンドオーバ制御方法を用いた場合のデータ伝送速度の比較を示す。ＩＥＥＥ８０２．１１ａ無線ＬＡＮとＰＨＳを利用可能な無線通信装置において、システム間ハンドオーバ制御の発生を考慮した場合のデータ伝送速度のシミュレーションである。無線ＬＡＮの通信速度は６Ｍｂｉｔ／ｓ、ＰＨＳの通信速度は６４ｋｂｉｔ／ｓ、システム間ハンドオーバ制御を実施するか否かの判定周期は４００ｍｓｅｃ、システム間ハンドオーバ制御に必要な時間はＰＨＳから無線ＬＡＮへの変更が２ｓｅｃ、無線ＬＡＮからＰＨＳへの変更が４ｓｅｃである。
【００３９】
無線通信装置の実際の使用環境では移動速度、周囲状況等から決まる無線伝搬路状況はＧｏｏｄとＢａｄの２状態（判定に必要な情報）とし、Ｇｏｏｄは通信可能な状態（見通し状態）であり、Ｂａｄは通信不可能な状態とする。ＰＨＳの無線伝搬路状況のＧｏｏｄの発生確率は１００％とし、無線ＬＡＮの無線伝搬路状況のＧｏｏｄとＢａｄの発生確率は、８０％対２０％として状態遷移する。システム間ハンドオーバ制御を行うか否かの判定は、判定周期（４００ｍｓｅｃ）毎に測定した複数の無線伝搬路状況を平均化して判定する方法を用いる。無線ＬＡＮ通信中に無線ＬＡＮの無線伝搬路状況の平均化区間の中でＧｏｏｄよりＢａｄが多くなった場合、無線ＬＡＮからＰＨＳヘシステム間ハンドオーバ制御を行い、ＰＨＳ通信中に無線ＬＡＮの無線伝搬路状況の平均化区間の中でＢａｄよりＧｏｏｄが多くなった場合、ＰＨＳから無線ＬＡＮヘシステム間ハンドオーバ制御を行うこととする。
【００４０】
平均化区間は１周期（平均化を行わない場合）と５周期と９周期とする。従来は無線伝搬路状況の変動速度（例えば、無線通信装置が速い速度で無線障害物のある場所の間を通り抜ける場合等では、無線伝搬路状況の変動速度が早くなり、後述する平均見通し状態停留時間が一般に短くなる）によらず平均化区間を固定的に設定したが、本発明の実施の形態を用いることにより無線伝搬路状況の変動速度に応じて平均化区間の周期を適応的に変更できることとする。
【００４１】
図３において、横軸は平均見通し状態停留時間を表しており、縦軸は平均データ伝送速度を表している。平均見通し状態停留時間とは、無線ＬＡＮの無線伝搬路状況がＧｏｏｄの状態を継続する時間である。本発明の実施の形態を用いることにより、平均見通し状態停留時間の長さに応じて、平均見通し状態停留時間が１４秒以下（閾値）の場合は平均化区間を９周期（判定方法）に設定し、平均見通し状態停留時間が１４秒より大きい場合は平均化区間を１周期（判定方法）に設定することで、平均化区間を５周期に固定的に設定した従来方法と比較し、各平均見通し状態停留時間において高いデータ伝送速度を実現できることが確認できる。具体的には、平均見通し状態停留時間が２秒から４０秒の区間でデータ伝送速度を積分した値は、例えば平均化区間を５周期に固定した従来方法と比較し、本発明を用いることにより５．２％改善していることが確認できる。
【図面の簡単な説明】
【００４２】
【図１】本発明の実施の形態の無線通信装置における受信回路の構成例を示すブロック図。
【図２】本発明の実施の形態のシステム間ハンドオーバ制御手順例を示す流れ図。
【図３】本発明の実施の形態により伝送速度向上の効果を示す図。
【図４】従来の無線通信装置における受信回路の構成例を示すブロック図。
【図５】従来のシステム間ハンドオーバ制御手順例を示す流れ図。
【符号の説明】
【００４３】
１１１    移動速度測定回路
１１２    周囲状況認識回路
１１３    システム間ハンドオーバ閾値設定回路
１１４    システム間ハンドオーバ閾値記憶回路
１１５    システム間ハンドオーバ閾値判定回路
【図１】
2005236487.tif 000003
【図２】
2005236487.tif 000004
【図３】
2005236487.tif 000005
【図４】
2005236487.tif 000006
【図５】
2005236487.tif 000007